(57)【要約】  小型化することができる光源装置及び表示装置を提供する。  光源装置２、及び光源装置２を備える表示装置１において、装置下部に空間的な余裕が比較的多く、装置上部に空間的な余裕が比較的少ない場合、導光板２２の周縁上部はＢＬシャーシ２５に固定され、周縁下部は固定されない。従って、導光板２２は下側に向けて熱膨張する。熱膨張した導光板２２が進入する空隙は、導光板２２の下方（即ち、空間的な余裕が比較的多い装置下部）に設けられる。故に、導光板２２の上方（即ち、空間的な余裕が比較的少ない装置上部）に、熱膨張した導光板２２が進入する空隙を設ける場合に比べて、光源装置２、及び光源装置２を備える表示装置１を、小型化することができる。
2016013083.tif 000002
【特許請求の範囲】
【請求項１】
光源と、
該光源が発した光が一面から出射する板状の光学部材と、
該光学部材を支持する支持部と
を備える光源装置において、
前記光学部材の周縁部の一部分が前記支持部に固定してあり、
前記光学部材の周縁部の他部分は前記支持部に固定されていないことを特徴とする光源装置。
【請求項２】
前記支持部には雌ネジを有するネジ穴が設けられており、
前記周縁部の一部分には貫通孔又は切り欠き状の凹部が設けられており、
前記貫通孔又は凹部に、雄ネジを有する脚部が挿通され、前記雄ネジと前記雌ネジとが螺合し、頭部と前記支持部との間で前記光学部材を挟持するビスを備えることを特徴とする請求項１に記載の光源装置。
【請求項３】
前記頭部と前記光学部材との間に緩衝部が介在していることを特徴とする請求項２に記載の光源装置。
【請求項４】
前記光学部材は、縦姿勢に配された矩形状の導光板又は拡散板であり、
上辺部、又は両側辺部の上部が前記支持部に固定してあり、
下辺部、並びに両側辺部の少なくとも上下方向中央部及び下部は前記支持部に固定されていないことを特徴とする請求項１乃至３の何れか一項に記載の光源装置。
【請求項５】
請求項１乃至４の何れか一項に記載の光源装置と、該光源装置によって背面側から照明される表示パネルとを備えることを特徴とする表示装置。
【発明の詳細な説明】
【技術分野】
【０００１】
本発明は、光源が発した光が光学部材の一面から出射する光源装置及び表示装置に関する。
【背景技術】
【０００２】
液晶表示装置は、液晶表示パネルと光源装置とを備える（特許文献１参照）。
以下では、液晶表示パネルが縦姿勢で配されている場合について説明する。
従来、エッジライト方式の光源装置が提案されている。エッジライト方式の光源装置は、液晶表示パネルの背面側に縦姿勢で配された矩形状の導光板と、導光板の下端面に対向配置された光源とを備える。
光源が発した光は、導光板の下端面から導光板の内部へ入射し、更に、導光板の前面から導光板の正面側へ出射する。この結果、液晶表示パネルは背面側から照明される。【０００３】
特許文献１に記載されている第１実施形態の導光板は、矩形状の本体と、本体の左右両辺部における上下方向中央部から左右両側に突出した延長固定部とを有する。延長固定部は、導光板を収容する収容体に設けられている固定溝に嵌め込まれる。つまり、導光板は、左右両辺部における上下方向中央部が収容体に固定される。【０００４】
特許文献１に記載されている第２実施形態の導光板は、四隅にＬ字状の切り欠きが設けられている。各切り欠きには、導光板を収容する収容体に突設された突起が挿入される。つまり、導光板は、下側の２個の突起に載置される。
【先行技術文献】
【特許文献】
【０００５】
【特許文献１】特開２００７−１９０２１号公報
【発明の概要】
【発明が解決しようとする課題】
【０００６】
光源が発した熱が導光板に伝達することによって、導光板は熱膨張する。
特許文献１に記載されている第１実施形態の導光板の場合、導光板は上下方向中央部が固定されているので、上下両側に向けて熱膨張する。故に、導光板の上方及び下方の両方に、熱膨張した導光板が進入すべき空隙が必要である。
特許文献１に記載されている第２実施形態の導光板の場合、導光板は下部が突起に載置されているので、上側に向けて熱膨張する。故に、導光板の上方に、熱膨張した導光板が進入すべき空隙が必要である。【０００７】
ところで、一般的な液晶表示装置の場合、導光板の上方よりも下方の方が空間的な余裕を有する。何故ならば、液晶表示装置の下部には、リモートコントローラから送信された信号を受信するための受信基板を内蔵したり、スピーカを配置したり、メーカのロゴ又は製品名等を表記したりすることが多いからである。
従って、熱膨張した導光板が進入すべき空隙を導光板の下方に設けた場合、導光板の上方に設けた場合よりも、液晶表示装置の小型化を図ることができる。【０００８】
本発明は斯かる事情に鑑みてなされたものであり、その主たる目的は、小型化することができる光源装置及び表示装置を提供することにある。
【課題を解決するための手段】
【０００９】
本発明に係る光源装置は、光源と、該光源が発した光が一面から出射する板状の光学部材と、該光学部材を支持する支持部とを備える光源装置において、前記光学部材の周縁部の一部分が前記支持部に固定してあり、前記光学部材の周縁部の他部分は前記支持部に固定されていないことを特徴とする。【００１０】
本発明に係る光源装置は、前記支持部には雌ネジを有するネジ穴が設けられており、前記周縁部の一部分には貫通孔又は切り欠き状の凹部が設けられており、前記貫通孔又は凹部に、雄ネジを有する脚部が挿通され、前記雄ネジと前記雌ネジとが螺合し、頭部と前記支持部との間で前記光学部材を挟持するビスを備えることを特徴とする。【００１１】
本発明に係る光源装置は、前記頭部と前記光学部材との間に緩衝部が介在していることを特徴とする。【００１２】
本発明に係る光源装置は、前記光学部材は、縦姿勢に配された矩形状の導光板又は拡散板であり、上辺部、又は両側辺部の上部が前記支持部に固定してあり、下辺部、並びに両側辺部の少なくとも上下方向中央部及び下部は前記支持部に固定されていないことを特徴とする。【００１３】
本発明に係る表示装置は、本発明に係る光源装置と、該光源装置によって背面側から照明される表示パネルとを備えることを特徴とする。【００１４】
本発明にあっては、光学部材の周縁部の一部分が支持部に固定され、他部分が固定されないので、光学部材は、周縁部の一部分が他部分から離隔する方向へは熱膨張し難く、周縁部の他部分が一部分から離隔する方向へは熱膨張し易い。
故に、光源装置（又は光源装置を備える表示装置）においては、熱膨張した光学部材が進入する空隙が、光学部材の周縁部の他部分周辺に設けてあればよい。換言すれば、熱膨張した光学部材が進入する空隙を、光学部材の周縁部の一部分周辺に設ける必要がない。【００１５】
一般に、光源装置（又は光源装置を備える表示装置）の一部分／他部分は空間的な余裕が比較的少ない／多いので、設計条件が厳しい／緩い。従って、光源装置（又は光源装置を備える表示装置）における空間的な余裕が比較的少ない／多い部分に、光学部材の周縁部の一部分／他部分を配すれば、光源装置（又は光源装置を備える表示装置）の小型化を図ることが容易になる。【００１６】
本発明にあっては、ビスの頭部と支持部との間で光学部材を挟持するので、構成が簡易である。【００１７】
本発明にあっては、ビスの頭部と光学部材との間に緩衝部が介在しているので、ビスと光学部材との直接的な接触による光学部材の損傷又は破損、或いは光学部材の破損に伴う粉体の発生等が抑制される。【００１８】
本発明にあっては、導光板又は拡散板の上辺部（又は両側辺部の上部）が支持部に固定してある。一方、導光板又は拡散板の下辺部並びに両側辺部の少なくとも上下方向中央部及び下部は、支持部に固定されていないので、導光板又は拡散板の少なくとも上下方向中央部以下の部分は、熱膨張に起因する伸縮が容易である。
【発明の効果】
【００１９】
本発明の光源装置及び表示装置による場合、例えば装置下部に空間的な余裕が比較的多く、装置上部に空間的な余裕が比較的少ないのであれば、光学部材の周縁上部が支持部に固定され、周縁下部は固定されない。そして、光学部材の下方（即ち、空間的な余裕が比較的多い装置下部）に、熱膨張した光学部材が進入する空隙が設けられる。この結果、光学部材の上方（即ち、空間的な余裕が比較的少ない装置上部）に、熱膨張した光学部材が進入する空隙を設ける場合に比べて、光源装置、及び光源装置を備える表示装置を、小型化することができる。
【図面の簡単な説明】
【００２０】
【図１】本発明の実施の形態１に係る光源装置を備える表示装置の上部側の構成を略示する断面図である。
【図２】表示装置の下部側の構成を略示する断面図である。
【図３】光源装置が備える導光板の構成を略示する正面図である。
【図４】本発明の実施の形態２に係る光源装置を備える表示装置の構成を略示する断面図である。
【図５】光源装置が備える拡散板の構成を略示する正面図である。
【図６】本発明の実施の形態３に係る光源装置が備える導光板の構成を略示する正面図である。
【図７】本発明の実施の形態４に係る光源装置が備える導光板の構成を略示する正面図である。
【発明を実施するための形態】
【００２１】
以下、本発明を、その実施の形態を示す図面に基づいて詳述する。以下の説明では、図において矢符で示す上下、前後、及び左右を使用する。
【００２２】
実施の形態  １．
図１及び図２は、本発明の実施の形態１に係る光源装置２を備える表示装置１の上部側及び下部側の構成を略示する断面図である。
図３は、光源装置２が備える導光板２２の構成を略示する正面図である。
本実施の形態の表示装置１は、例えばテレビジョン受信機、電子看板、又は、パーソナルコンピュータ用のモニタ等として構成されている。
【００２３】
まず、表示装置１の各部について説明する。
表示装置１は、表示パネル１１、ベゼル１２、Ｐシャーシ１３、緩衝部材１４１，１４２、光源装置２、及び図示しないキャビネット等を備えている。
光源装置２は、光学シート群２１、導光板２２（光学部材）、反射シート２３、光源２４、ＢＬシャーシ２５（支持部）、ビス３１、及び緩衝部３２を備えている。
【００２４】
表示パネル１１は液晶表示パネルを用いてなる。表示パネル１１は矩形状であり、縦姿勢で配されている。表示パネル１１は、矩形状の表示領域と表示領域を囲繞する矩形枠状の額縁領域とを有する。表示パネル１１は、正面側のガラス基板と背面側のガラス基板とを有し、２枚のガラス基板の間には液晶が封止されている。表示パネル１１の光透過率は、表示パネル１１の液晶に印加された電圧に応じて変化する。
【００２５】
ベゼル１２は、前面部１２１と側面部１２２とを一体に有する。
前面部１２１は矩形枠状であり、矩形枠の開口を通して表示パネル１１の表示領域を露出させた状態で、表示パネル１１の額縁領域を正面側から覆う。前面部１２１と表示パネル１１の額縁領域との間には、矩形枠状の緩衝部材１４１が配されている。
側面部１２２は、前面部１２１の外周縁部から後ろ向きに突出している。
【００２６】
光学シート群２１は、各矩形状の複数枚の光学シートが積層されてなる。光学シート群２１を構成している各光学シートは、光の拡散機能又は集光機能等を有する。光学シート群２１の前面は表示パネル１１の後面に対向配置されている。光学シート群２１は、表示パネル１１の背面側にて表示パネル１１の表示領域を覆う。
【００２７】
Ｐシャーシ１３は、ベゼル１２の前面部１２１よりも背面側、且つ、側面部１２２よりも内側に配されている。Ｐシャーシ１３は、基部１３１と支持枠部１３２とを一体に有する。
基部１３１は、前後方向の矩形筒状であり、ベゼル１２の側面部１２２に外側から覆われている。基部１３１の前部は、表示パネル１１及び光学シート群２１夫々の周縁端面を覆う。
【００２８】
支持枠部１３２は矩形枠状であり、ベゼル１２の前面部１２１、表示パネル１１の額縁領域、及び光学シート群２１の周縁部に背面側から対向配置されている。本実施の形態では、表示パネル１１及び光学シート群２１は、緩衝部材１４１を介して、ベゼル１２の前面部１２１と支持枠部１３２との間に挟持されている。支持枠部１３２は、基部１３１の前後方向中央部から内向きに突出している。
【００２９】
導光板２２は矩形板状になしてある。導光板２２は、例えばアクリル樹脂を用いてなり、熱膨張し易い。導光板２２の周縁部の前面は、Ｐシャーシ１３の支持枠部１３２に背面側から対向配置されている。導光板２２の面方向中央部は、Ｐシャーシ１３の支持枠部１３２における矩形枠の開口を通して、表示パネル１１の表示領域、及び光学シート群２１の面方向中央部に背面側から対向配置されている。
導光板２２の周縁部の前面とＰシャーシ１３の支持枠部１３２との間には、矩形枠状の緩衝部材１４２が配されている。
【００３０】
導光板２２の上辺部における左右方向中央部には、切り欠き状の凹部２２１が設けられている。凹部２２１は正面視Ｕ字状をなす。
導光板２２は、導光板２２の内部に入射した光が、導光板２２の前面から出射するようにしてある。このために、導光板２２の後面には、図示しない複数の反射部が設けられている。反射部に入射した光は、前面側へ反射する。
【００３１】
反射シート２３は矩形状である。反射シート２３の前面は、導光板２２の後面に密着配置されている。従って、導光板２２の後面から出射した光は、反射シート２３に反射して、再び導光板２２の内面に入射する。
反射シート２３の上辺部における左右方向中央部には、正面視Ｕ字状の切り欠き状の凹部２３１が設けられている。凹部２３１は、導光板２２の凹部２２１に臨む。導光板２２及び反射シート２３の凹部２２１，２３１夫々の正面視の形状は合同である。
【００３２】
ＢＬシャーシ２５は皿状になしてある。ＢＬシャーシ２５は、皿の底面に相当する後面部２５１と、皿の周面に相当する側面部２５２とを有する。
側面部２５２は、Ｐシャーシ１３の基部１３１の後部に外側から覆われている。側面部２５２は、導光板２２及び反射シート２３夫々の周縁端面を覆う。
【００３３】
後面部２５１は、導光板２２及び反射シート２３に背面側から対向配置されている。後面部２５１とＰシャーシ１３の支持枠部１３２との間には、緩衝部材１４２を介して、導光板２２及び反射シート２３が挟持される。
Ｐシャーシ１３とＢＬシャーシ２５とによる挟持は、導光板２２とＰシャーシ１３の支持枠部１３２との間、又は導光板２２と反射シート２３との間に無用な空隙が生じること（延いては、この無用な隙間を通した漏光）を抑制するためのものであり、導光板２２及び反射シート２３をＰシャーシ１３及びＢＬシャーシ２５に固定するためのものではない。故に、このような挟持によって、導光板２２の熱膨張、又は熱膨張からの復元が阻害されることはない。
【００３４】
ＢＬシャーシ２５（本実施の形態では後面部２５１）には、雌ネジを有するネジ穴２５３が設けられている。ネジ穴２５３は、導光板２２及び反射シート２３の凹部２２１，２３１に臨む。
【００３５】
緩衝部３２は、中心部に貫通孔が設けられた円盤状の弾性部材である。緩衝部３２の外径（及び内径）は、導光板２２の凹部２２１に係る左右方向の開口寸法よりも長い（及び短い）。緩衝部３２の外径の半径は、導光板２２の凹部２２１に係る上下方向の開口寸法よりも短い。
【００３６】
ビス３１は、頭部３１１及び脚部３１２を一体に有する。
頭部３１１の半径は、導光板２２の凹部２２１に係る左右方向の開口寸法よりも短い。
【００３７】
脚部３１２は、ＢＬシャーシ２５のネジ穴２５３の雌ネジに対応する雄ネジを有する。脚部３１２は、緩衝部３２の貫通孔を貫通した状態で、導光板２２及び反射シート２３の凹部２２１，２３１に対して正面側からこの順に挿通され、更にネジ穴２５３に正面側から挿入されて螺合する。このとき、脚部３１２の周面の一部は、凹部２２１，２３１の内面最下部に接触配置又は接近配置される。
この結果、頭部３１１とＢＬシャーシ２５との間に、緩衝部３２を介して、導光板２２及び反射シート２３が挟持される。このとき、頭部３１１及び緩衝部３２が、導光板２２の上端面よりも上側に突出することはない。
【００３８】
ビス３１及びＢＬシャーシ２５による挟持は、導光板２２及び反射シート２３夫々の周縁上部（周縁部の一部分）をＢＬシャーシ２５に固定するためのものである。具体的には、導光板２２及び反射シート２３夫々の上辺部がＢＬシャーシ２５に固定される。故に、導光板２２は上側に向けて熱膨張し難い。何故ならば、導光板２２が上側に向けて熱膨張しようとしても、導光板２２の凹部２２１の内面がビス３１の脚部３１２に当接するからである。
【００３９】
一方、導光板２２及び反射シート２３夫々の周縁下部（周縁部の他部分）は、ＢＬシャーシ２５に固定されていない。具体的には、導光板２２及び反射シート２３夫々の下辺部と左右両辺部（両側辺部）とは、ＢＬシャーシ２５を含む他部材に固定されていない。故に、導光板２２の下側及び左右両側に向けた熱膨張、又は熱膨張からの復元は容易である。
つまり、導光板２２及び反射シート２３は、上辺部がビス３１及びＢＬシャーシ２５に挟持されることによって、いわばＢＬシャーシ２５から垂下する（吊り下げられる）。
以上のことから導光板２２は、主に下側に向けて熱膨張し易い。
【００４０】
光源２４は、導光板２２の下方に配され、図示しないヒートシンクを介して、ＢＬシャーシ２５に支持されている。
光源２４は、複数個のＬＥＤ２４１，２４１，…とＬＥＤ基板２４２とを備える。
ＬＥＤ基板２４２は、左右方向に長い横姿勢の矩形状になしてある。ＬＥＤ基板２４２の上面は、導光板２２の下端面に対面配置されている。
【００４１】
ＬＥＤ２４１，２４１，…は、ＬＥＤ基板２４２の上面にて左右方向に一列に等配実装してある。ＬＥＤ２４１，２４１，…と導光板２２の下端面とは、適長離隔して対向配置されている。
ＬＥＤ２４１，２４１，…と、まだ熱膨張していない導光板２２との間の空隙Ｓは、熱膨張した導光板２２の下辺部（図２に二点鎖線で図示）が進入すべき空隙として機能する。
【００４２】
なお、光源装置２は、光源２４に替えて、２個の光源を備えていてもよい。この場合、２個の光源は、導光板２２の上下両方に１個ずつ配されていてもよい。
或いは、１個の光源（又は２個の光源）が、導光板２２の左方及び右方の何れか一方（又は両方に１個ずつ）に配されていてもよい。
【００４３】
前述のキャビネットは、表示パネル１１の表示領域を露出させた状態で、表示パネル１１、ベゼル１２、Ｐシャーシ１３、緩衝部材１４１，１４２、及び光源装置２を収容する。
【００４４】
ところで、キャビネットの内部におけるベゼル１２の下側には、リモートコントローラから送信された信号を受信するための受信基板が収容される（各不図示）。また、キャビネットの前面下部における表示パネル１１の表示領域の直下には、メーカのロゴ又は製品名等が表記される（不図示）。更に、キャビネットの下部には、不図示のスピーカが配される。以上のことから、表示装置１は、上部側よりも下部側の方に空間的な余裕がある。つまり、熱膨張した導光板２２が進入すべき空隙Ｓは、導光板２２の上方よりも下方に設ける方が、設計的な制約が緩い。
換言すれば、空隙Ｓが導光板２２の下方に設けてある表示装置１は、空隙Ｓが導光板２２の上方に設けてある場合よりも、容易に小型化することができる。
【００４５】
次に、光源装置２による表示パネル１１の照明について説明する。
光源２４が発した光は、導光板２２の下端面から導光板２２の内部に入射する。
導光板２２の内部に入射した光の一部は、導光板２２の前面、後面、又は反射部にて反射し、やがて前面から光学シート群２１へ出射する。導光板２２の内部に入射した光の他の一部は、導光板２２の後面から出射し、反射シート２３に反射して再び導光板２２の内部に入射する。
【００４６】
光学シート群２１へ出射した光は、光学シート群２１による拡散及び集光等を経て、表示パネル１１の後面から表示パネル１１の内部に入射する。
以上のように、表示パネル１１は、光源装置２によって背面側から照明される。表示パネル１１の内部に入射した光は、表示パネル１１を透過するか、又は、表示パネル１１の通過を遮断される。この結果、表示パネル１１の表示領域に映像が表示される。
【００４７】
以上のような表示装置１においては、ビス３１とＢＬシャーシ２５との間で導光板２２を挟持するので、構成が簡易である。
しかも、ビス３１の頭部３１１又は緩衝部３２が、導光板２２の上端面よりも上側に突出することはないので、導光板２２の上方に、ビス３１の頭部３１１又は緩衝部３２を配すべき無用な空隙を設ける必要がない。
【００４８】
なお、ビス３１に替えて、例えばリベットとＢＬシャーシ２５との間で導光板２２を挟持してもよい。ただし、ビス３１はリベットに比べて取り外しが容易であるので、例えば表示装置１をリサイクルする際の分解時にはビス３１の方が簡便である。
【００４９】
また、ビス３１及びＢＬシャーシ２５による挟持に替えて、導光板２２の上辺部をＢＬシャーシ２５に接着してもよい。この場合、導光板２２に凹部２２１を設ける必要はない。ただし、導光板２２は、表示装置１を構成する部品の中でも比較的重いものである。故に、導光板２２をＢＬシャーシ２５に接着固定し得る粘着剤又は粘着部材を準備することは、ビス３１を準備することに比べれば、容易ではない。
【００５０】
更に、ビス３１及びＢＬシャーシ２５による挟持に替えて、導光板２２の上辺部を上側からクリップ状の挟持部材で挟持固定し、この挟持部材をＢＬシャーシ２５に固定してもよい。ただし、挟持部材を配置するための空間を導光板２２の上方に設ける必要があるので、ビス３１及びＢＬシャーシ２５による挟持の場合よりも、表示装置１の小型化が困難になる虞がある。
【００５１】
導光板２２の凹部２２１は、Ｕ字状に限定されず、Ｖ字状又はコ字状等でもよい。
また、導光板２２を固定すべき支持部は、ＢＬシャーシ２５に限定されず、例えばＰシャーシ１３（支持枠部１３２）でもよい。
【００５２】
ところで、ビス３１及びＢＬシャーシ２５による挟持は、緩衝部３２の介在がなくとも可能ではある。
しかしながら、緩衝部３２が存在しない場合、ビス３１の頭部３１１が導光板２２の凹部２２１の周面における前面に直接的に接触する。
従って、ビス３１を強く締め付けることによって、ビス３１の頭部３１１から導光板２２へ無用に大きな外力が集中的に加わり、導光板２２に損傷又は歪み等が生じる虞がある。かといって、ビス３１の締め付けが弱いと、ビス３１及びＢＬシャーシ２５による挟持（即ち、導光板２２の固定）が不完全になるので、導光板２２の位置ずれ又は脱落等が生じる虞がある。
更に、導光板２２の熱膨張／復元、又は振動等によって、導光板２２とビス３１の頭部３１１とが強く当接する虞がある。この場合、導光板２２の損傷、更には導光板２２の損傷に起因する粉体の発生等が起こり得る。
【００５３】
つまり、ビス３１及びＢＬシャーシ２５による挟持は、緩衝部３２の介在がある方が有利である。何故ならば、ビス３１を強く締め付けても、ビス３１の頭部３１１から導光板２２へ無用な外力が集中的に加わることを緩衝部３２が抑制するからである。また、ビス３１の頭部３１１と導光板２２との直接的な接触を緩衝部３２が防止するからである。
【００５４】
なお、表示装置１において、装置上部に空間的な余裕が比較的多く、装置下部に空間的な余裕が比較的少ない場合、光源装置２は、導光板２２の下辺部をＢＬシャーシ２５に固定し、上辺部は固定しない構成であればよい。
また、表示装置１において、例えば装置右部に空間的な余裕が比較的多く、装置左部に空間的な余裕が比較的少ない場合、光源装置２は、導光板２２の左辺部をＢＬシャーシ２５に固定し、右辺部は固定しない構成であればよい。
【００５５】
実施の形態  ２．
図４は、本発明の実施の形態２に係る光源装置２を備える表示装置１の構成を略示する断面図である。
図５は、光源装置２が備える拡散板２６の構成を略示する正面図である。
図４及び図５は、実施の形態１の図１及び図３に対応する。
本実施の形態の光源装置２は、実施の形態１の光源装置２と略同様の構成である。以下では、実施の形態１との差異について説明し、その他、実施の形態１に対応する部分には同一符号を付してそれらの説明を省略する。
【００５６】
本実施の形態の光源装置２は、実施の形態１の導光板２２、反射シート２３、及び光源２４に替えて、拡散板２６、反射シート２７、及び複数個の光源２８，２８，…を備えている。
拡散板２６は熱膨張し易い素材からなる矩形板状の光学部材である。拡散板２６の周縁部の前面は、Ｐシャーシ１３の支持枠部１３２に背面側から対向配置されている。拡散板２６の面方向中央部は、Ｐシャーシ１３の支持枠部１３２における矩形枠の開口を通して、表示パネル１１の表示領域、及び光学シート群２１の面方向中央部に背面側から対向配置されている。
拡散板２６の周縁部の前面とＰシャーシ１３の支持枠部１３２との間には、矩形枠状の緩衝部材１４２が配されている。
【００５７】
拡散板２６の上辺部における左右方向中央部には、正面視円形状の貫通孔２６１が設けられている。貫通孔２６１の内径は、ビス３１のビス頭３１１の外径よりも小さく、脚部３１２の最大径よりも大きく、緩衝部３２の貫通孔の内径と同程度である。貫通孔２６１は、実施の形態１の導光板２２の凹部２２１に対応する。
【００５８】
反射シート２７には、正面視円形状の貫通孔２７１が設けられている。貫通孔２７１の内径は、拡散板２６の貫通孔２６１の内径と同じである。貫通孔２７１は、実施の形態１の反射シート２３の凹部２３１に対応する。
各光源２８は、拡散板２６の背面に対向して左右方向に配された蛍光管を用いてなる。光源２８，２８，…は上下方向に適長離隔並置してある。
【００５９】
また、本実施の形態のＢＬシャーシ２５は、実施の形態１の後面部２５１に替えて、後面部２５４を有する。
後面部２５４には、背面側へ凹む凹部２５５が設けられている。凹部２５５の内部には、光源２８，２８，…が収容されている。凹部２５５の内面を含む後面部２５１の前面は、反射シート２７で覆われている。
後面部２５４とＰシャーシ１３の支持枠部１３２との間には、緩衝部材１４２を介して、拡散板２６及び反射シート２７が挟持される。このような挟持によって、拡散板２６の熱膨張、又は熱膨張からの復元が阻害されることはない。
ＢＬシャーシ２５（本実施の形態では後面部２５４）には、ネジ穴２５３が設けられている。ネジ穴２５３は、拡散板２６及び反射シート２７の貫通孔２６１，２７１に臨む。
【００６０】
ビス３１の脚部３１２は、緩衝部３２の貫通孔を貫通した状態で、拡散板２６及び反射シート２７の貫通孔２６１，２７１に対して正面側からこの順に挿通され、更にネジ穴２５３に正面側から挿入されて螺合する。
この結果、頭部３１１とＢＬシャーシ２５との間に、緩衝部３２を介して、拡散板２６及び反射シート２７が挟持される。このとき、頭部３１１及び緩衝部３２が、拡散板２６の上端面よりも上側に突出することはない。
【００６１】
ビス３１及びＢＬシャーシ２５による挟持は、拡散板２６及び反射シート２７夫々の上辺部をＢＬシャーシ２５に固定するためのものである。具体的には、拡散板２６及び反射シート２７夫々の上辺部がＢＬシャーシ２５に固定される。故に、拡散板２６は上側に向けて熱膨張し難い。何故ならば、拡散板２６が上側に向けて熱膨張しようとしても、拡散板２６の貫通孔２６１の内面がビス３１の脚部３１２に当接するからである。
【００６２】
一方、拡散板２６及び反射シート２７夫々の下辺部と左右両辺部とは、ＢＬシャーシ２５を含む他部材に固定されていない。故に、拡散板２６の下側及び左右両側に向けた熱膨張、又は熱膨張からの復元は容易である。
つまり、拡散板２６及び反射シート２７は、上辺部がビス３１及びＢＬシャーシ２５に挟持されることによって、いわばＢＬシャーシ２５から垂下する（吊り下げられる）。
以上のことから拡散板２６は、主に下側に向けて熱膨張し易い。従って、熱膨張した拡散板２６が進入すべき空隙（実施の形態１の空隙Ｓに相当するもの）は、拡散板２６の下方に設けてある。
故に、本実施の形態の表示装置１は、実施の形態１の表示装置１と同様に、容易に小型化することができる。
【００６３】
次に、光源装置２による表示パネル１１の照明について説明する。
光源２８，２８，…が発した光は、直接的に、又は反射シート２７に反射して、拡散板２６の後面をから拡散板２６の内部に入射する。拡散板２６の内部に入射した光は拡散し、拡散板２６の前面から光学シート群２１へ出射する。
光学シート群２１へ出射した光は、光学シート群２１による拡散及び集光等を経て、表示パネル１１の後面から表示パネル１１の内部に入射する。
以上のように、表示パネル１１は、光源装置２によって背面側から照明される。
【００６４】
このような表示装置１においては、ビス３１とＢＬシャーシ２５との間で拡散板２６を挟持するので、構成が簡易である。
しかも、ビス３１の頭部３１１又は緩衝部３２が、拡散板２６の上端面よりも上側に突出することはないので、拡散板２６の上方に、ビス３１の頭部３１１又は緩衝部３２を配すべき無用な空隙を設ける必要がない。
その上、ビス３１の脚部３１２を拡散板２６及び反射シート２７の貫通孔２６１，２７１に挿入すれば拡散板２６及び反射シート２７が位置決めされるので、特に拡散板２６及び反射シート２７をＢＬシャーシ２５に取り付ける際に、拡散板２６及び反射シート２７の位置ずれ又は脱落が抑制される。即ち、光源装置２の組み立て性が向上する。
【００６５】
なお、拡散板２６及び反射シート２７に、貫通孔２６１，２７１に替えて、実施の形態１の凹部２２１，２３１に相当する凹部が設けられていてもよい。また、実施の形態１の導光板２２及び反射シート２３に、本実施の形態の貫通孔２６１，２７１に相当する貫通孔が設けられていてもよい。
【００６６】
貫通孔２６１の形状は、円形に限定されず、楕円形又は多角形等でもよい。
また、貫通孔２６１の前部の内径を緩衝部３２の外径よりも大きくすることによって、貫通孔２６１の内部に段部を設けてもよい。この場合、貫通孔２６１の段部内面に緩衝部３２を接触させる。このとき、貫通孔２６１の内部に緩衝部３２（又は緩衝部３２及びビス３１の頭部）が収容されてもよい。
【００６７】
実施の形態  ３．
図６は、本発明の実施の形態３に係る光源装置２が備える導光板２２の構成を略示する正面図である。図６は、実施の形態１の図３に対応する。
本実施の形態の光源装置２は、実施の形態１の光源装置２と略同様の構成である。以下では、実施の形態１との差異について説明し、その他、実施の形態１に対応する部分には同一符号を付してそれらの説明を省略する。
【００６８】
本実施の形態の導光板２２の上辺部には、Ｎ個（ＮはＮ≧２の自然数）の凹部２２１，２２１，…が左右方向に並設してある。同様に、反射シート２３の上辺部には、導光板２２の凹部２２１，２２１，…に対応するＮ個の凹部２３１，２３１，…が左右方向に並設してある。
故に、ＢＬシャーシ２５には、導光板２２の凹部２２１，２２１，…に対応するＮ個のネジ穴２５３，２５３，…が設けられている。
導光板２２及び反射シート２３夫々の上辺部は、各Ｎ個のビス３１，３１，…及び緩衝部３２，３２，…を用いて、ＢＬシャーシ２５に固定してある。この結果、導光板２２及び反射シート２３は、ＢＬシャーシ２５から垂下する（吊り下げられる）。
【００６９】
以上のことから導光板２２は、主に下側に向けて熱膨張し易い。
従って、熱膨張した導光板２２が進入すべき空隙Ｓは、導光板２２の下方に設けてある。
故に、本実施の形態の表示装置１は、実施の形態１の表示装置１と同様に、容易に小型化することができる。
【００７０】
なお、導光板２２の上辺部の左右両隅部（即ち左右両辺部の上隅部）には、Ｌ字状の切り欠き状の凹部２２１，２２１が１個ずつ設けられていてもよい。
また、導光板２２のＮ個の凹部２２１，２２１，…に替えて、Ｎ個の貫通孔が設けられていてもよい。
【００７１】
実施の形態  ４．
図７は、本発明の実施の形態４に係る光源装置２が備える導光板２２の構成を略示する正面図である。図７は、実施の形態１の図３に対応する。
本実施の形態の光源装置２は、実施の形態１の光源装置２と略同様の構成である。以下では、実施の形態１との差異について説明し、その他、実施の形態１に対応する部分には同一符号を付してそれらの説明を省略する。
【００７２】
本実施の形態の導光板２２には凹部２２１は設けられておらず、導光板２２の左右両辺部における上辺部近傍に、各１個の凹部２２２，２２２が設けられている。
各凹部２２２は、正面視Ｕ字状の切り欠き状である。導光板２２の上端面からの凹部２２２の離隔距離は、導光板２２の左辺部又は右辺部の長さの１／３以下（好ましくは１／１０以下）である。つまり、凹部２２２，２２２は、左右両辺部の上部に設けてあり、下辺部、並びに左右両辺部の上下方向中央部及び下部には設けられていない。
同様に、反射シート２３の左右両辺部の上部には、導光板２２の凹部２２２，２２２に対応する各１個の図示しない凹部が設けてある。
故に、ＢＬシャーシ２５には、導光板２２の凹部２２２，２２２に対応する２個のネジ穴２５３，２５３が設けられている。
【００７３】
導光板２２及び反射シート２３夫々の左右両辺部の上辺部は、各１個のビス３１，３１及び緩衝部３２，３２を用いて、ＢＬシャーシ２５に固定してある。一方、導光板２２及び反射シート２３夫々の下辺部、並びに左右両辺部の上下方向中央部及び下部はＢＬシャーシ２５を含む他部材に固定されていない。この結果、導光板２２及び反射シート２３は、ＢＬシャーシ２５から垂下する（吊り下げられる）。
以上のことから導光板２２は、主に下側に向けて熱膨張し易い。従って、熱膨張した導光板２２が進入すべき空隙Ｓは、導光板２２の下方に設けてある。
故に、本実施の形態の表示装置１は、実施の形態１の表示装置１と同様に、容易に小型化することができる。
【００７４】
本実施の形態の光源装置２は、実施の形態１のような導光板２２の上辺部に対する凹部２２１の形成、又は凹部２２１を利用した導光板２２の上辺部のビス留め等が設計上又は製造上困難である場合に好適である。
しかも、２本のビス３１，３１の脚部３１２，３１２を導光板２２の凹部２２２，２２２及び反射シート２３の２個の凹部に挿入すれば、脚部３１２，３１２と凹部２２２，２２２及び反射シート２３の２個の凹部夫々の内面との係合により、導光板２２及び反射シート２３が位置決めされる。従って、特に導光板２２及び反射シート２３をＢＬシャーシ２５に取り付ける際に、導光板２２及び反射シート２３の位置ずれ又は脱落が抑制される。即ち、光源装置２の組み立て性が向上する。
【００７５】
本実施の形態の光源装置２の場合、実施の形態１の場合と比べれば、導光板２２は上側に向けて熱膨張し易い。しかしながら、導光板２２は、左右両辺部の上部がＢＬシャーシ２５に固定してあり、下辺部、並びに左右両辺部の上下方向中央部及び下部はＢＬシャーシ２５に固定されていないので、導光板２２の下側に向けた熱膨張に比べれば、導光板２２の上側に向けた熱膨張は小さい。故に、導光板２２の上方に設けるべき空隙Ｓは、装置の大型化を招くほど大きなものでなくてもよい。
なお、導光板２２の２個の凹部２２２，２２２に替えて、２個の貫通孔が設けられていてもよい。
【００７６】
本発明の実施の形態に係る光源装置は、表示装置１に組み込まれる光源装置２のようなものに限定されない。例えば、光源装置は、携帯電話機又は携帯情報端末装置等が備える表示部のバックライトユニットとして構成されていてもよい。或いは、光源装置は、シーリングライト又は壁掛け照明器具等として構成されていてもよい。
【００７７】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、表示装置１又は光源装置２に、実施の形態１〜４に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７８】
１      表示装置
１１    表示パネル
２      光源装置
２２    導光板（光学部材）
２２１，２２２  凹部
２４，２８  光源
２５    ＢＬシャーシ（支持部）
２５３  ネジ穴
２６    拡散板（光学部材）
２６１  貫通孔
３１    ビス
３１１  頭部
３１２  脚部
３２    緩衝部
【図１】
2016013083.tif 000003
【図２】
2016013083.tif 000004
【図３】
2016013083.tif 000005
【図４】
2016013083.tif 000006
【図５】
2016013083.tif 000007
【図６】
2016013083.tif 000008
【図７】
2016013083.tif 000009
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
光源と、
該光源が発した光が一面から出射する板状の光学部材と、
該光学部材を支持する支持部と
を備える光源装置において、
前記光学部材の周縁部の一部分が前記支持部に固定してあり、
前記光学部材の周縁部の他部分は前記支持部に固定されておらず、
前記支持部には雌ネジを有するネジ穴が設けられており、
前記周縁部の一部分には切り欠き状の凹部が設けられており、
前記凹部に、雄ネジを有する脚部が挿通され、前記雄ネジと前記雌ネジとが螺合し、頭部と前記支持部との間で前記光学部材を挟持するビスを備えることを特徴とする光源装置。
【請求項２】
光源と、
該光源が発した光が一面から出射する板状の光学部材と、
該光学部材を支持する支持部と
を備える光源装置において、
前記光学部材の周縁部の一部分が前記支持部に固定してあり、
前記光学部材の周縁部の他部分は前記支持部に固定されておらず、
前記光学部材は、縦姿勢に配された矩形状の導光板又は拡散板であり、
上辺部、又は両側辺部の上部が前記支持部に固定してあり、
下辺部、並びに両側辺部の少なくとも上下方向中央部及び下部は前記支持部に固定されていないことを特徴とする光源装置。
【請求項３】
前記支持部には雌ネジを有するネジ穴が設けられており、
前記周縁部の一部分には貫通孔又は切り欠き状の凹部が設けられており、
前記貫通孔又は凹部に、雄ネジを有する脚部が挿通され、前記雄ネジと前記雌ネジとが螺合し、頭部と前記支持部との間で前記光学部材を挟持するビスを備えることを特徴とする請求項２に記載の光源装置。
【請求項４】
前記頭部と前記光学部材との間に緩衝部が介在していることを特徴とする請求項１又は３に記載の光源装置。
【請求項５】
請求項１乃至４の何れか一項に記載の光源装置と、該光源装置によって背面側から照明される表示パネルとを備えることを特徴とする表示装置。
【国際調査報告】
2016013083.tif 000010
2016013083.tif 000011
2016013083.tif 000012
2016013083.tif 000013